(57)【要約】【課題】本発明は、折りじわの発生がより抑えられ、体液の漏れが効果的に防止されつつ、着用時の肌触りも良好な吸収性物品を提供することを目的とする。【解決手段】液透過性のトップシートと、液不透過性のバックシートと、トップシート及びバックシートの間に配置された吸収体と、を有し、２本の折り線によって、長手方向に略３等分される吸収性物品であって、吸収体の坪量が、４００ｇ／ｍ２以上１５００ｇ／ｍ２以下であり、トップシートが、１プライで構成され、３次元の凹部及び凸部を有する凹凸パターンを有し、折り線の上又は近傍において、幅方向中心線をまたいで左右略対称に、幅方向に展開し、トップシートから吸収体に至る、互いに連結しない複数のエンボスパターンが形成されている、吸収性物品を提供する。【選択図】図１
2018166717.tif 000002
【特許請求の範囲】
【請求項１】
液透過性のトップシートと、液不透過性のバックシートと、トップシート及びバックシートの間に配置された吸収体と、を有し、２本の折り線によって、長手方向に略３等分される吸収性物品であって、
前記吸収体の坪量が、４００ｇ／ｍ２以上１５００ｇ／ｍ２以下であり、
前記トップシートが、１プライで構成され、３次元の凹部及び凸部を有する凹凸パターンを有し、
前記折り線の上又は近傍において、幅方向中心線をまたいで左右略対称に、幅方向に展開し、トップシートから吸収体に至る、互いに連結しない複数のエンボスパターンが形成されている、吸収性物品。
【請求項２】
前記複数のエンボスパターンが、幅方向に略等間隔に配置されており、
前記複数のエンボスパターンを構成する個別のエンボスの、幅方向の最大寸法が、２ｃｍ以上５ｃｍ以下であり、長手方向の最大寸法が、３ｃｍ以上６ｃｍ以下であり、
互いに隣接する前記複数のエンボスパターンの幅方向の間隔が、２ｃｍ以上４ｃｍ以下であり、
前記複数のエンボスパターンの幅方向の個数が、４個以上１０個以下である、請求項１に記載の吸収性物品。
【請求項３】
前記トップシートが、親水性エアスルー不織布である、請求項１又は２に記載の吸収性物品。
【請求項４】
前記複数のエンボスパターンが、前記折り線上と前記折り線から離間した位置とに、交互に配置される、請求項１から３のいずれかに記載の吸収性物品。
【請求項５】
前記複数のエンボスパターンが、前記折り線と幅方向両端部で交差する曲線状に配置される、請求項１から３のいずれかに記載の吸収性物品。
【発明の詳細な説明】
【技術分野】
【０００１】
本発明は、肌触りが良好で、体液の漏れが効果的に防止される吸収性物品に関する。
【背景技術】
【０００２】
一般に吸収性物品は、液透過性のトップシートと、液不透過性のバックシートと、トップシート及びバックシートの間に配置された吸収体と、で構成されており、これにより、尿等の体液は、トップシートを通って吸収体に吸収される。この吸収性物品は、想定される使用状況における体液の排出量に応じて、様々な吸収量のものが存在する。これらのうち、比較的少量の排出量の体液を吸収するものとしては、軽失禁ライナーや軽失禁パッド等が知られている。
【０００３】
吸収性物品は、通常、１個ごとに３つ折り等に折り畳んで個別包装し、複数個をプラスチックフィルムにて一括包装しており、消費者が吸収性物品を使用する際には、個別包装から吸収性物品を取り出し、吸収性物品の衣類側表面に設けられたズレ止めテープを使用して、吸収性物品を下着に装着している。
【０００４】
吸収性物品の吸収体は、吸収性繊維及び高吸水性ポリマーを主体として構成されるものであり、適度な厚さとクッション性が求められている。そして、吸収性物品は、一般に吸収量ごとに様々な種類のものが販売されているが、吸収性物品の吸収量が多くなるほど、吸収体の厚みは厚くなり、包装時に３つ折りにした場合、３つ折りした部分の近傍を含めたトップシート全体に幅方向にランダムな角度を持った折りじわが発生する。このような折りじわは、装着時に不規則な凹凸由来の不快感を生じさせ、かゆみ等の肌トラブルを引き起こす可能性がある他、装着時の外観も好ましいものとは言えない。また、ランダムな折りじわは、体液の幅方向への漏れの原因にもなる。
【０００５】
このような問題に対処した発明として、例えば、特許文献１には、トップシートに、複数の略長方形状又は略楕円形状のエンボス凹部を有する吸収性物品であって、このエンボス凹部の長軸方向は、着用者の動きによりトップシートに作用する作用力のうち、最大の作用力の方向に対し、略３０度から略９０度の角度になるように形成されていることを特徴とする吸収性物品が開示されている。また、特許文献２には、トップシートに、周状のチャネルエンボスが形成された吸収性物品であって、周状のチャネルエンボスには、折り線の位置で周内方に入り込む括れ部があり、周状のチャネルエンボスより内側であって折り線と略平行に幅方向に延びる弧状のチャネルエンボスを有し、弧状のチャネルエンボスがある領域には括れ部と折り線がある吸収性物品が開示されている。さらに、特許文献３には、第１繊維シートと、第２繊維シートとを含む、吸収性物品のトップシートであって、両繊維シートはいずれも熱融着性繊維を含み、かつエンボス加工による複数のエンボス凹部によって一体となっており、複数のエンボス凹部は、第１方向及びこれに交差する第２方向それぞれに間欠的に配されており、それによって第１繊維シートの肌対向面に、第１方向に延びる複数本の所定の第１不連続線が配されていると共に、第２方向に延びる複数本の所定の第２不連続線が配されているトップシートが開示されている。
【先行技術文献】
【特許文献】
【０００６】
【特許文献１】特開２００４−２９８４５４号公報
【特許文献２】特開２０１０−１７８９３２号公報
【特許文献３】特開２０１５−１１２３３９号公報
【発明の概要】
【発明が解決しようとする課題】
【０００７】
しかしながら、特許文献１及び特許文献２に記載の吸収性物品も、特許文献３に記載の吸収性物品のトップシートも、折りじわの発生を十分に抑えることができず、体液の漏れの問題や、肌触りの問題に対しては、依然として改善の余地があった。したがって、本発明は、以上の課題に鑑みてなされたものであり、折りじわの発生がより抑えられ、体液の漏れが効果的に防止されつつ、着用時の肌触りも良好な吸収性物品を提供することを目的とする。
【課題を解決するための手段】
【０００８】
本発明の発明者らは、上記課題に鑑み、鋭意研究を行った、その結果、２本の折り線によって、長手方向に略３等分される吸収性物品であって、トップシートが、１プライで構成され、３次元の凹部及び凸部を有する凹凸パターンを有し、折り線の上又は近傍において、所定の複数のエンボスパターンが形成されている吸収性物品によれば、上記課題を解決できることを見出し、本発明を完成するに至った。具体的には、本発明は、以下のものを提供する。
【０００９】
（１）本発明の第１の態様は、液透過性のトップシートと、液不透過性のバックシートと、トップシート及びバックシートの間に配置された吸収体と、を有し、２本の折り線によって、長手方向に略３等分される吸収性物品であって、前記吸収体の坪量が、４００ｇ／ｍ２以上１５００ｇ／ｍ２以下であり、前記トップシートが、１プライで構成され、３次元の凹部及び凸部を有する凹凸パターンを有し、前記折り線の上又は近傍において、幅方向中心線をまたいで左右略対称に、幅方向に展開し、トップシートから吸収体に至る、互いに連結しない複数のエンボスパターンが形成されている、吸収性物品である。
【００１０】
（２）本発明の第２の態様は、（１）に記載の吸収性物品であって、前記複数のエンボスパターンが、幅方向に略等間隔に配置されており、前記複数のエンボスパターンを構成する個別のエンボスの、幅方向の最大寸法が、２ｃｍ以上５ｃｍ以下であり、長手方向の最大寸法が、３ｃｍ以上６ｃｍ以下であり、互いに隣接する前記複数のエンボスパターンの幅方向の間隔が、２ｃｍ以上４ｃｍ以下であり、前記複数のエンボスパターンの幅方向の個数が、４個以上１０個以下であることを特徴とするものである。
【００１１】
（３）本発明の第３の態様は、（１）又は（２）に記載の吸収性物品であって、前記トップシートが、親水性エアスルー不織布であることを特徴とするものである。
【００１２】
（４）本発明の第４の態様は、（１）から（３）のいずれかに記載の吸収性物品であって、前記複数のエンボスパターンが、前記折り線上と前記折り線から離間した位置とに、交互に配置されることを特徴とするものである。
【００１３】
（５）本発明の第５の態様は、（１）から（３）のいずれかに記載の吸収性物品であって、前記複数のエンボスパターンが、前記折り線と幅方向両端部で交差する曲線状に配置されることを特徴とするものである。
【発明の効果】
【００１４】
本発明の吸収性物品は、トップシートが、１プライで構成されており、３次元の凹部及び凸部を有する凹凸パターンを有するため、平面方向の通気性に優れ、着用時の肌触りをより良好にすることができる。また、本発明の吸収性物品を構成する吸収体の坪量は、４００ｇ／ｍ２以上１５００ｇ／ｍ２以下であるため、吸収性に優れ、尿を代表とする体液の漏れを効果的に防止することができる。さらに、本発明の吸収性物品には、吸収性物品を長手方向に略３等分にする折り線の上又は近傍において、幅方向中心線をまたいで左右略対称に、幅方向に展開し、トップシートから吸収体に至る、互いに連結しない複数のエンボスパターンが形成されている。吸収性物品にこのような複数のエンボスパターンが形成されていることにより、吸収性物品のこれ以外の部位に、折りじわが形成されることを効果的に軽減することができる。さらに、複数のエンボスパターンを折れ起点として身体に沿って厚さ方向に湾曲しやすくなるため、吸収性物品の身体へのフィット性が向上する。よって、本発明によれば、折りじわの発生がより抑えられ、体液の漏れが効果的に防止されつつ、着用時の肌触りも良好な吸収性物品を提供することができる。
【図面の簡単な説明】
【００１５】
【図１】本発明の吸収性物品の平面図である。
【図２】本発明の吸収性物品の平面図である。
【図３】本発明の吸収性物品の平面図である。
【図４】本発明の吸収性物品の平面図である。
【発明を実施するための形態】
【００１６】
＜吸収性物品＞
本発明の実施形態に係る吸収性物品１としては、軽失禁パッドが例示されるが、本発明の吸収性物品１はこれに限定されるものではなく、軽失禁ライナー、その他の吸収性物品であってもよい。吸収性物品１は、身体側表面に配置された液透過性のトップシート１０と、トップシート１０に対向し、衣類側表面に配置された液不透過性のバックシート３０と、トップシート１０及びバックシート３０の間に配置された吸収体２０と、を備え、これにより、吸収体２０は、トップシート１０とバックシート３０との間に挟まれた構造となっている。吸収性物品１は、個別包装に際して幅方向に延びる２本の折り線４０によって長手方向に略３等分されて折り畳まれるものであり、包装時には長手方向に３つ折りにされる。ここで、吸収性物品１の長手方向とは、吸収性物品１が着用されたときに着用者の前後に亘る方向であり、図中、符号Ｙで示す方向である。また、吸収性物品１の幅方向とは、長手方向に対して横又は直交する方向であり、図中、符号Ｘで示す方向である。吸収性物品１は、着用者の腹側にあてがわれ、２本の折り線４０よりも端部側の前部１ａと、着用者の股間に位置する股部１ｂと、着用者の背側にあてがわれ、２本の折り線４０よりも端部側の後部１ｃと、に区分される。
【００１７】
［トップシート］
トップシート１０は、吸収体２０に向けて体液を速やかに通過させるものであり、吸収体２０を挟んで、バックシート３０に対向して配置される。トップシート１０は、肌と当接するシートとなることから、トップシート１０には、柔らかな感触で、肌に刺激を与えないような性質を有する、ポリプロピレンやポリエチレン等の合成繊維、レーヨン等の再生繊維、綿等の天然繊維を用いて、エアスルー法、サーマルボンド法、スパンレース法、スパンボンド法等の公知の加工法によって得られた親水性不織布、開口ポリエチレンフィルム等の開口性フィルム、ウレタンフォーム等の発泡フィルム等を用いることができるが、通気性及び着用時の肌触りの観点から、親水性エアスルー不織布を用いることが好ましい。なお、本発明に用いるトップシート１０は、低コスト及び着用時の肌触りを良好にするために、１プライで構成される。また、トップシート１０には、ドライタッチ性を付与するために多数の透孔が形成されていてもよい。
【００１８】
トップシート１０の坪量は、加工性及び強度の点から、１８ｇ／ｍ２以上４０ｇ／ｍ２以下であることが好ましい。また、トップシート１０には、肌への刺激を低減させるために、ローション、酸化防止剤、抗炎症成分、ｐＨ調整剤、抗菌剤、保湿剤等を適用してもよい。
【００１９】
なお、本発明においては、吸収体２０の上面への体液の拡散を促進するため、トップシート１０と吸収体２０との間に、液拡散性シートを設けてもよい。斯かる液拡散性シートとしては、例えば、エアスルー不織布、ポイントボンド不織布、スパンボンド不織布、メルトブロー不織布等の不織布や、スパンボンド／メルトブロー、スパンボンド／メルトブロー／スパンボンドを積層した複合不織布を挙げることができる。液拡散性シートの厚さは０．１ｍｍ以上であることが好ましく、その坪量は１５ｇ／ｍ２以上であることが好ましい。液拡散性シートの形状は、特に制限はないが、尿等の液体がくまなく吸収体２０に拡散するよう、吸収体２０の表面を完全に覆うことができる形状であることが好ましい。
【００２０】
（凹凸パターン）
本発明においては、トップシート１０が、３次元の凹部及び凸部を有する凹凸パターンを有する。凹凸パターンの形成は、マッチドエンボスによってもよい。ここで、マッチドエンボスとは、例えば、特表２００２−５１２６６０号公報に開示されるものであり、多数の凸体を有する凸ローラと、凸体と相補的な多数の凹体を有する凹ローラとで、凸体と凹体がかみ合うように不織布を挟み込み、必要に応じて熱を付与することにより形成されるものである。トップシート１０が、このような凹凸パターンを有することにより、トップシート１０を、嵩高く維持することができる。本発明においては、トップシート１０の厚みは、凹凸処理前の１．５倍から３倍の厚みであり、凹凸処理後のトップシート１０の厚みは、１ｍｍ以上５ｍｍ以下が好ましく、より好ましくは、２ｍｍ以上４ｍｍ以下となる。
【００２１】
また、トップシート１０に凹凸パターンが付与されていることにより、トップシート１０の平面内に凹部と凸部が形成されるので、トップシート１０の平面方向の通気性が良好に維持され、トップシート１０に体液が接触した場合に、トップシート１０が体液を保持しやすくなる。これらの効果は、いずれも、吸収性物品１の着用時の肌触り、吸収性能及び逆戻り性の改善に寄与することとなる。
【００２２】
トップシート１０が有する凹凸パターンのパターン形状は、円形、楕円形、多角形、長手方向若しくは幅方向に延びる互いに平行な直線、又は互いに並行する曲線であることが好ましく、多角形の場合は、縦方向の寸法が横方向の寸法よりも長くてもよく、横方向の寸法が縦方向の寸法よりも長くてもよい。より好ましい態様において、本発明の吸収性物品１におけるトップシート１０が有する凹凸パターンは、六角形又は正六角形の凹部と、六角形又は正六角形の凸部とが連続して構成されるハニカムパターンであることが好ましい。
【００２３】
トップシート１０が有する凹凸パターンの凹部の面積率は、３％以上４０％以下であることが好ましく、５％以上３０％以下であることがより好ましい。面積率を上記の範囲内のものとすることにより、凹凸パターンの３次元形状が十分に維持され、トップシート１０の嵩高さが良好に維持される。
【００２４】
［バックシート］
バックシート３０は、吸収性物品１の外部に体液が漏れないよう、液不透過性を有し、遮水性を有するシート材が用いられるが、ムレ防止のために透湿性を有していてもよい。このような特性を有するバックシート３０の材料としては、例えば、ポリエチレンシートやポリエチレンラミネート不織布等の厚みの薄いプラスチックシートを挙げることができる。バックシート３０は、着用者の股間が位置づけられる長手方向中央に括れ部を有する砂時計形状、略矩形形状等の形状を有していてもよく、吸収体２０の側縁より若干外方に延在して設けられていてもよい。バックシート３０の衣類側表面には、着用時に下着等に吸収性物品１を固着するための粘着剤層が設けられていてもよい。吸収性物品１が粘着剤層を有する場合、粘着剤層を保護するための剥離シートを有していてもよく、この剥離シートは、吸収性物品１の包装シートと部分的に接合されていてもよい。トップシート１０及びバックシート３０は、長手方向端部等、端部の少なくとも一部において、吸収体２０を挟まずに、ホットメルト接着剤やヒートシール等により固着されるフラップを形成していてもよい。
【００２５】
［吸収体］
吸収体２０は、基材としての吸収性繊維と、高吸水性ポリマー（Ｓｕｐｅｒ  Ａｂｓｏｒｂｅｎｔ  Ｐｏｌｙｍｅｒ；以下、ＳＡＰとも称する）と、を含有する。吸収性繊維は、一般に生理用ナプキン、おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収体２０の吸収性繊維は、吸収性能及び肌触りを損なわないよう、１００ｇ／ｍ２以上８００ｇ／ｍ２以下の坪量とすることが好ましい。
【００２６】
吸収体２０の高吸水性ポリマーとしては、体液を吸収し、かつ、逆流を防止できるものであれば特に制限はなく、ポリアクリル酸ナトリウム系共重合体、ポリアスパラギン酸塩系共重合体、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系共重合体が好ましい。吸収体２０のＳＡＰ量は、吸収性能及び肌触りを損なわないよう、５０ｇ／ｍ２以上７００ｇ／ｍ２以下の坪量とすることが好ましく、１５質量％以上６０質量％以下の含有量とすることが好ましい。
【００２７】
吸収体２０において、吸収性繊維及びＳＡＰの形態は、吸収性繊維中にＳＡＰ粒子を混合して形成した積層マットの形態であることが好ましい。また、ＳＡＰ粒子の漏洩防止や吸収体２０の形状の安定化の目的から、吸収体２０をキャリアシートに包むことが好ましい。キャリアシートの基材としては親水性を有するものであればよく、ティシュ、吸収紙、エアレイド不織布等の親水性不織布を挙げることができる。キャリアシートを複数備える場合は、キャリアシートの基材は同一のものであっても異なるものであってもよく、キャリアシートで吸収体２０を包む際の包み方は特に限定されるものではない。
【００２８】
なお、吸収体２０の坪量は、４００ｇ／ｍ２以上１５００ｇ／ｍ２以下である。吸収体２０の坪量をこのような範囲にすることにより、吸収性に優れ、体液の漏れを効果的に防止することができる。また、吸収体２０は、上層吸収体と下層吸収体とを積層してなるものであってもよい。この場合、上層吸収体と下層吸収体の長手方向及び幅方向の寸法は、上層吸収体の寸法が下層吸収体の寸法より大きくてもよく、上層吸収体の寸法が下層吸収体の寸法と同じであってもよく、上層吸収体の寸法が下層吸収体の寸法より小さくてもよい。
【００２９】
［複数のエンボスパターン］
図１から図４は、本発明の吸収性物品１の平面図である。図１から図４に示すように、本発明の吸収性物品１には、折り線４０の上又は近傍において、幅方向中心線をまたいで左右略対称に、幅方向に展開し、トップシート１０から吸収体２０に至る、互いに連結しない複数のエンボスパターン２１が形成されている。このように、複数のエンボスパターン２１が形成されていることにより、吸収性物品１のこれ以外の部位に折りじわが形成されることを効果的に軽減することができる。加えて、本発明の吸収性物品１においては、複数のエンボスパターン２１を形成することにより、吸収性物品１が複数のエンボスパターン２１を折れ起点として身体に沿って厚さ方向に湾曲しやすくなるため、吸収性物品１の身体へのフィット性が向上し、体液の漏れを効果的に防止することができる。また、複数のエンボスパターン２１を構成する個別のエンボスの形状は、特に限定されないが、多角形又は略円形であることが好ましい。
【００３０】
また、複数のエンボスパターン２１が、幅方向に略等間隔に配置されており、複数のエンボスパターン２１を構成する個別のエンボスの、幅方向の最大寸法が、２ｃｍ以上５ｃｍ以下であり、長手方向の最大寸法が、３ｃｍ以上６ｃｍ以下であり、互いに隣接する複数のエンボスパターンの幅方向の間隔が、２ｃｍ以上４ｃｍ以下であり、複数のエンボスパターン２１の幅方向の個数が、４個以上１０個以下であることが好ましい。複数のエンボスパターン２１を構成する個別のエンボスの寸法、互いに隣接する複数のエンボスパターン２１の幅方向の間隔、複数のエンボスパターン２１の幅方向の個数をこのような範囲にすることにより、複数のエンボスパターン２１以外の部位に、折りじわが形成されることをより効果的に防止することができる。
【００３１】
また、図１に示すように、複数のエンボスパターン２１を、折り線４０上と折り線４０から離間した位置とに、交互に配置することが好ましい。複数のエンボスパターン２１をこのように配置することにより、折り線４０を用いて吸収性物品１を折り曲げる際に、折り部に働く応力を分散させることができ、折りじわが形成されることをより効果的に軽減することができる。
【００３２】
さらに、図２に示すように、複数のエンボスパターン２１を、折り線４０と幅方向両端部で交差する曲線状に配置することもできる。複数のエンボスパターン２１をこのように配置することにより、折りじわが形成されることを防止し、かつ、吸収性物品１の美粧性を向上させることができる。
【００３３】
なお、図３に示すように、複数のエンボスパターン２１を構成する個別のエンボスが、幅方向に３個以上重複しないように配置されることにより、エンボス加工時に線圧を高くすることができ、明瞭なエンボスを形成することができるため、より効果的に折りじわの形成を軽減することができる。また、図４に示すように、複数のエンボスパターン２１を構成する個別のエンボスにおいて、個別のエンボスの長手方向の中心部に、より深いエンボス領域である深部２１１を設けることにより、さらに折りじわの形成を軽減することができる。
【００３４】
［立体ギャザー］
吸収性物品１の身体接触側表面には、立体ギャザーが設けられていてもよい。この立体ギャザーは、トップシート１０とともに体液の閉じ込め空間を形成し、体液の漏れを防止できるようになっている。立体ギャザーは、立体ギャザーシートと、立体ギャザーシートの自由端部に沿って配された伸縮性弾性部材と、を備えていることが好ましい。伸縮性弾性部材としては、天然ゴム、合成ゴム、及びポリウレタン等からなる、糸状、紐状、平型形状のものを適宜使用することができる。
【００３５】
＜吸収性物品の製造方法＞
吸収性物品１の製造方法としては、特に限定はなく、従来公知の方法を採用することができ、例えば、必要に応じて、液拡散性シート及び立体ギャザーをあらかじめトップシート１０に配置した上で、括れ部を形成した吸収体２０をトップシート１０とバックシート３０との間に挟持し、トップシート１０から吸収体２０に亘る複数のエンボスパターン２１を形成させつつ、トップシート１０とバックシート３０とを一部又は全周に亘ってホットメルト接着剤やヒートエンボス、超音波エンボス、高周波エンボス等を用いて固定することで製造することができる。そして、これを包装体に個別包装した後、長手方向に３つ折りにして折り畳めばよい。
【００３６】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００３７】
１        吸収性物品
１ａ      前部
１ｂ      股部
１ｃ      後部
１０      トップシート
２０      吸収体
２１      複数のエンボスパターン
２１１    深部
３０      バックシート
４０      折り線
【図１】
2018166717.tif 000003
【図２】
2018166717.tif 000004
【図３】
2018166717.tif 000005
【図４】
2018166717.tif 000006